(57)【要約】  本発明は、例えばショップ、ミュージアム又は家庭において魅力的なオブジェクトの提示を作り出すために、棚の表面に配置されたオブジェクトを照らすための内蔵された照明システムを備えた棚のような、電子ディスプレイシステムによるオブジェクト提示用装置に関する。この発明の基本的な概念は、照明システム等のディスプレイシステムを、人を引き付けるための照明効果のような装飾効果を素早く容易に生成するための提示デバイスに内蔵することにある。本発明は、一実施形態において、表面上１４に配置されたオブジェクト１６を展示するための前記表面１４をもつ提示デバイス１２と、前記提示デバイスに内蔵され、前記表面上の装飾効果２０を生成するように適合された電子ディスプレイシステム１８とを有するオブジェクト提示用装置１０を提供する。提示されるべきオブジェクトが配置され得る提示デバイスにディスプレイデバイスを内蔵することにより、装飾効果は、底部から、即ちオブジェクトの下から生成され、それ故、オブジェクトの上からの装飾効果が必要とされるような空間を必要としない。
2011512220.tif 000002
【特許請求の範囲】
【請求項１】
表面上に配置されたオブジェクトを展示するための前記表面をもつ提示デバイスと、
前記提示デバイスに内蔵され、前記表面上の装飾効果を生成する電子ディスプレイシステムとを有する、オブジェクト提示用装置。
【請求項２】
前記提示デバイスは、棚板であり、
前記表面は、前記棚板の一方の面の少なくとも一部により形成され、
前記一部は、少なくとも部分的に半透明である、請求項１に記載のオブジェクト提示用装置。
【請求項３】
前記電子ディスプレイシステムは、前記表面の下で前記提示デバイスに内蔵され、前記提示デバイスの内側から前記表面を照射することにより前記表面上に照明効果を生成する照射システムを有する、請求項１又は請求項２に記載のオブジェクト提示用装置。
【請求項４】
前記照明システムは、
１又はそれ以上の同軸に設けられた円形光ガイドと、
照明ユニットにより生成された光が前記円形光ガイドによりガイドされるように設けられた前記照明ユニットとを有する、請求項３に記載のオブジェクト提示用装置。
【請求項５】
ドットのパターンが前記表面上に拡げられ、
各ドットは、円形光ガイドから一部の光を出力するために設けられる、請求項４に記載のオブジェクト提示用装置。
【請求項６】
前記照明ユニットは、各円形照明ガイドのための別個の光源を有する、請求項４又は請求項５に記載のオブジェクト提示用装置。
【請求項７】
各光源は、少なくとも１つのＲＧＢ ＬＥＤを有する、請求項６に記載のオブジェクト提示用装置。
【請求項８】
前記表面上に配置されたオブジェクトを検出するための、前記表面の近くの前記提示デバイスに内蔵された少なくとも１つのセンサと、
前記少なくとも１つのセンサの出力に依存して前記ディスプレイシステムを制御する制御ユニットとを更に有する、請求項１〜７のうちいずれか一項に記載のオブジェクト提示用装置。
【請求項９】
幾つかのオブジェクトセンサが、前記表面上に配置されたオブジェクトの存在及び近似的サイズを検出するために設けられ、
前記制御ユニットは、前記オブジェクトセンサの出力を処理し、前記装飾効果を前記オブジェクトの前記近似的サイズに適合させる、請求項８に記載のオブジェクト提示用装置。
【請求項１０】
幾つかのオブジェクトセンサが、前記表面上に配置されたオブジェクトの位置及び近似的形状を検出するために設けられ、
前記制御ユニットは、前記オブジェクトセンサの出力を処理し、前記オブジェクトの前記位置及び前記近似的形状に前記装飾効果を適合させる、請求項８又は請求項９に記載のオブジェクト提示用装置。
【請求項１１】
少なくとも１つのカラーセンサが、前記表面上に配置されたオブジェクトの色を検出するために設けられ、
前記制御ユニットは、前記少なくとも１つのカラーセンサの出力を処理し、前記オブジェクトの検出された色に前記装飾効果の色を適合させる、請求項８〜１０のうちいずれか一項に記載のオブジェクト提示用装置。
【請求項１２】
少なくとも１つの存在センサが、人の存在を検出するために設けられ、
前記制御ユニットは、前記少なくとも１つの存在センサの出力を処理し、検出された人の存在に前記装飾効果を適合させる、請求項８〜１１のうちいずれか一項に記載のオブジェクト提示用装置。
【請求項１３】
請求項１〜１２のうちいずれか一項に記載のオブジェクト提示用装置を有する、家具。
【請求項１４】
ショップ、ミュージアム、家庭、又は、オブジェクトが人を引き付ける態様で提示される場所における、請求項１〜１２のうちいずれか一項に記載のオブジェクト提示用装置の使用。
【発明の詳細な説明】
【技術分野】
【０００１】
本発明は、例えばショップ、ミュージアム又は家庭において魅力的なオブジェクト提示を作り出すために、棚板の表面上に配置されたオブジェクトを照らすための内蔵された照明システムをもつ棚板のような、電子ディスプレイシステムによるオブジェクト提示用装置に関する。
【背景技術】
【０００２】
ショップは、上品で繊細な手法で買い物客の注意を製品に向けさせることを望んでいる。特に、中程度の小売店及びそれよりも高級な小売店の区分にあるファッション及び高級製品の店舗は、最も魅力的な製品提示を行うことについて投資するのに意欲的である。例えば、彼らは、買い物客の注意を引き付け、製品の外観を魅力的なものにするために、色、パターン又は材料等の特定の装飾を用い得る。しかしながら、前記装飾をこれまでになく早く変化するコレクションに更新及び適合することは、費用がかかり、しばしば面倒であり、これは望ましくない。
【発明の概要】
【発明が解決しようとする課題】
【０００３】
本発明の目的は、オブジェクト提示のための装飾効果を素早く容易に生成することを可能にするオブジェクト提示用装置を提供することにある。
【課題を解決するための手段】
【０００４】
本目的は、独立請求項により解決される。更に実施形態は、従属請求項により示される。
【０００５】
この発明の基本的な概念は、照明システム等のディスプレイシステムを、人を引き付けるための照明効果のような装飾効果を素早く容易に生成するための提示デバイスに内蔵することにある。ディスプレイシステムを、提示されるべきオブジェクトが配置され得る提示デバイスに内蔵することにより、装飾効果は、底部から、即ちオブジェクトの下から生成され、それ故、オブジェクトの上からの装飾効果が必要とされるような空間を必要としない。これは、オブジェクトの上からディスプレイ効果を作り出す複雑なディスプレイシステムに対して必要とされるような空間、特に小売店の空間を節約することを可能にする。更に、本発明は、素早く容易な手法で、局所的でコンパクトな装飾効果を生成することを可能にする。
【０００６】
本発明の一実施形態は、表面上に配置されたオブジェクトを展示するための前記表面をもつ提示デバイスと、前記提示デバイスに内蔵され、前記表面上の装飾効果を生成するように適合された電子ディスプレイシステムとを有するオブジェクト提示用装置を提供する。
【０００７】
内蔵された電子ディスプレイデバイスは、提示されるべきオブジェクトの上の空間を必要とせず、例えば魅力的で目立った照明効果のような装飾効果を生成することを可能にする。例えば、装飾効果は、提示されるべきオブジェクトを囲む着色光リングを有する照明である。
【０００８】
本発明の他の実施形態によれば、前記提示デバイスは、棚板であり、前記表面は、前記棚板の一方面の少なくとも一部により形成され、前記一部は、少なくとも部分的に半透明である。
【０００９】
斯様な棚板は、例えば、ショップ、ミュージアム又は家庭において用いられる製品提示棚で用いられ得る。
【００１０】
本発明の他の実施形態において、前記電子ディスプレイシステムは、前記表面の下で前記提示デバイスに内蔵され、前記提示デバイスの内側から前記表面を照らすことにより前記表面上に照明効果を生成するように適合される照射システムを有する。
【００１１】
前記照射システムは、例えば、着色された照明効果を生成するための色又はＲＧＢ（赤、緑、青）のＬＥＤを有する。
【００１２】
前記照明システムは、本発明の他の実施形態において、１又はそれ以上の同軸に設けられた円形光ガイドと、照明ユニットにより生成された光が前記円形光ガイドによりガイドされるように設けられた前記照明ユニットとを有する。
【００１３】
前記光ガイドは、前記提示デバイスの溝により実装され得る。前記照明ユニットは、例えば、ＬＥＤを含むＰＣＢ（Printed Circuit Board）である。ＰＣＢは、前記ＬＥＤが前記光ガイドに結合されるように、前記提示デバイスの凹部に取り付けられる。
【００１４】
本発明の他の実施形態によれば、ドットのパターンが前記表面上に拡げられ、各ドットは、円形光ガイドからごく一部の光を出力するために設けられる。前記ドットは、提示されるべきオブジェクトが配置される表面上において一種のマイクロ光源として機能する。ドットは、前記提示デバイスに機械的にもたらされ、光に対して半透明である専用の材料を必要としないという利点をもつ。
【００１５】
本発明の他の実施形態によれば、前記照明ユニットは、各円形光ガイドのための別個の光源を有する。それ故、前記提示デバイスの前記表面上において、異なる照明効果をもつ幾つかの照明サークル、例えば全ての円の真ん中に提示されるべきオブジェクトと同軸に設けられた赤色、緑色、青色の照明サークルを生成することが可能である。
【００１６】
本発明の他の実施形態によれば、各光源は、少なくとも１つのＲＧＢ ＬＥＤを有する。これは、各円形光ガイドにおいて異なる色の照明効果を生成することを可能とする。
【００１７】
本発明の他の実施形態によれば、前記装置は、前記表面上に配置されたオブジェクトを検出するための、前記表面の近くの前記提示デバイスに内蔵された少なくとも１つのセンサと、前記少なくとも１つのセンサの出力に依存して前記ディスプレイシステムを制御するために適合される制御ユニットとを有する。
【００１８】
これは、生成されたディスプレイ効果を、検出されたオブジェクトに適合させることを可能にする。例えば、オブジェクトが検出されない場合には、ディスプレイ効果は、無効化され得るか、又は、実際にオブジェクトが提示されないことを示す予め規定された効果、例えば"coming soon"のようなテキストに切り替えられ得る。
【００１９】
本発明の他の実施形態によれば、幾つかのオブジェクトセンサが、前記表面上に配置されたオブジェクトの存在及び近似的サイズを検出するために設けられ、前記制御ユニットは、前記オブジェクトセンサの出力を処理し、前記装飾効果を前記オブジェクトの前記近似的サイズに適合させる。
【００２０】
これは、検出されたオブジェクトの種類にディスプレイ効果を適合させることを可能にする。例えば、大きなオブジェクトが検出された場合には、照明効果は、例えばより小さな照明サークルへの照明効果の適合をもたらすような小さなオブジェクトとは対照的に、検出されたオブジェクトを囲むためにより大きな直径をもつ照明サークルのように大きくなる。
【００２１】
本発明の他の実施形態によれば、幾つかのオブジェクトセンサが、前記表面上に配置されたオブジェクトの位置及び近似的形状を検出するために設けられ、前記制御ユニットは、前記オブジェクトセンサの出力を処理し、前記オブジェクトの前記位置及び前記近似的形状に前記装飾効果を適合させる。
【００２２】
特に、ＬＣＤディスプレイ技術が電子ディスプレイシステムとして用いられる場合には、前記ディスプレイ効果の前記位置及び前記形状の適合がさらにフレキシブルになる。
【００２３】
本発明の他の実施形態によれば、少なくとも１つのカラーセンサが、前記表面上に配置されたオブジェクトの色を検出するために設けられ、前記制御ユニットは、前記少なくとも１つのカラーセンサの出力を処理し、前記オブジェクトの検出された色に前記装飾効果の色を適合させる。
【００２４】
これは、例えば青色のオブジェクトに対して赤に着色された装飾効果を生成するために、装飾効果の色をオブジェクトの色に適合させることを可能にする。装飾効果の色を動的に適合させることも可能であろう。例えば、色が赤色から青色、及びその逆に変化し得る。
【００２５】
本発明の他の実施形態において、少なくとも１つの存在センサが、人の存在を検出するために設けられ、前記制御ユニットは、前記少なくとも１つの存在センサの出力を処理し、検出された人の存在に前記装飾効果を適合させる。
【００２６】
この実施形態によれば、前記装飾効果は、例えば、検出された人の存在で起動され得るか、又は、提示されたオブジェクトに人の関心を引き付けるために静的から動的に切り替えられ得る。
【００２７】
他の実施形態において、本発明は、本発明の前述されたオブジェクト提示用装置を有する家具に関する。
【００２８】
最後に、本発明の一実施形態は、ショップ、ミュージアム、家庭、又は、オブジェクトが人を引き付ける態様で提示される場所における、本発明の前述されたオブジェクト提示用装置の使用に関する。
【００２９】
本発明のこれら及び他の態様は、後述される実施形態から明らかになり、前記実施形態を参照して説明得される。
【００３０】
本発明は、例となる実施形態を参照してより詳細に後述される。しかしながら、本発明は、これらの例となる実施形態に限定されるものではない。
【図面の簡単な説明】
【００３１】
【図１】本発明の一実施形態のオブジェクト提示用棚板を斜視図で示す。
【図２】図１の棚板の底面図を示す。
【図３】図１の棚板の上面図を示す。
【発明を実施するための形態】
【００３２】
以下において、機能的に類似又は同一の要素は、同一の参照番号をもつ。
【００３３】
図１は、製品の近く又はその周りの着色された装飾のような魅力的な製品提示のために小売店により用いられ得る製品提示用棚板１２をオブジェクト提示用装置１０として示す。提示されるべき製品１６は、棚板１２の表面１４上に配置され得る。棚板１２は、製品の下からの白色アクセント照明、及び、製品の周りの表面１４上の着色光等の照明効果２０を生成することができる。発明者らは、製品提示のための斯様な照明効果が、魅力的で目立った効果を好むファッション小売店及び買い物客により十分に受け取られたことを発見した。照明効果を下から生成する利点は、製品の上からの照射、例えばスポットライトでの照射よりも少ない空間しか必要としないことである。装置１０により生成された照明効果２０は、製品１６の周りの１又はそれ以上の着色リングであり得る。製品１６は、前記リングの内側に配置される。製品１６に導くために、更なるアクセント照明又は白色照明が製品１６の下に直接生成されてもよい。本発明は、上から棚板１２の表面１４を照射することによっては照明効果２０を生成しないが、前記製品１６が置かれている前記表面１４の内側に照明効果を生成し、それ故、空間を節約し、局所的な照明効果を生成することを可能にする。それ故、製品１６に対するアクセント照明が、前記製品に対して最適で自然な照明効果を実現するために依然として上から行われる場合であっても、着色リングの効果を維持するために着色リング上に過度の量の白色光を光らせない一方で前記製品を適切に照らすために狭いビームをもつ光スポットが、十分であり、空間を節約するだろう。
【００３４】
図２は、棚板１２、及び、棚板１２の表面１４上に照明効果を生成するための照明システムの底面図を詳細に示している。照明システム１８は、幾つかの同軸に設けられた円形光ガイド２２及び照明ユニット２４を有する。光ガイド２２は、これらの間に制限された間隔をもって相当に幅広い。光ガイド２２は、それぞれ、棚板１２の底面において、照明ユニット２４を実装するＰＣＢのための空間を可能にする切り取り部又は凹部を含み、照明ユニット２４は、２つの方向の光を円形光ガイド２２に結合させるために、小型のＲＧＢ ＬＥＤ２８を両側に含む。ＰＣＢ上の小型のＲＧＢ ＬＥＤ２８は、ＰＭＭＡ（polymethylmethacrylate）の薄型プレートの円の中のスリットに配置され得る。ＲＧＢ ＬＥＤの光は、プレートにおいて捕獲され、全内部反射（ＴＩＲ）により内側に閉じ込められる。円形光ガイド２２の幅に依存して、３つのような幾つかのＬＥＤ２８が、十分な輝度をもつ照明効果を生成するため十分な光を光ガイド２２に結合するために、各光ガイド２２に対して設けられ得る。
【００３５】
更に、図２は、棚板１２の底面上に、提示されるべき製品のサイズを決定するための幾つかのセンサ３０が、円形光ガイド２２間に設けられることを示している。センサ３０の出力信号は、製品の色を検出するためのカラーセンサ３４、及び、例えば棚板１２を含む棚の前の人の存在を検出するための存在センサ３６からの出力信号と一緒に、制御ユニットにより受信される。制御ユニット３２は、必ずしも棚板に内蔵される必要はなく、その外部に設けられてもよい。
【００３６】
制御ユニット３２は、受信したセンサ信号を処理し、前記受信したセンサ信号に対応する照明ユニット２４のＲＧＢ ＬＥＤ２８を制御するプロセッサを有する。例えば、プロセッサは、棚板の表面１４上に生成された照明効果を、提示された製品のサイズ及び外観に自動的に適合させるように構成され得る。加えて、装飾は、近くの人（買い物客）の存在、検出された関心又は動作に反応し得る。この機能性は後述されるだろう。
【００３７】
図３は、棚板１２の上面図を示している。棚板１２に内蔵された照明ユニット２４の位置は破線で示されている。棚板１２の表面１４は、上面において、少なくとも部分的に半透明である。即ち、棚板の上面に所望の照明効果２０を生成するために、光は表面１４を介して円形光ガイド２２から放出し得る。半透明性は、ドットのパターン２６により実現され得る。ドットのパターン２６は、板１２の表面１４に渡って拡げられ得る。各ドットは、円形光ガイド２２においてガイドされた光のごく一部を出力する。パターン２６は、出力された光の量が全体表面１４に渡っておおよそ均一になるように作られ得る。これは、（照明ユニット２４のＲＧＢ ＬＥＤ２８の近くで最も高い）"閉じ込められた"光の量とドットの表面密度とのバランスを取ることにより実現され得る。ドットの表面エリアは、ドットの量又はドットのサイズを変えることにより変化され得る。
【００３８】
前述されたような提示された製品への生成された照明効果の自動適合機能が詳細に説明される。斯様な機能性は、本発明が棚板１２に内蔵された１又はそれ以上のセンサ３０，３４，３６により自動適合を可能にするので、例えば、非常に頻繁にファッションコレクションを更新するファッション小売店が、提示された商品に店舗内の装飾要素を手動で適合させる必要がないという利点をもつ。典型的には、自動適合は、例えば以下のとおりである。
【００３９】
−  照明効果のサイズをオブジェクトのサイズに適合させる。例えば圧力又は光センサとして実装され得るセンサ３０が、オブジェクトの存在及び近似的サイズの双方を検出するために適用される。センサ３０の信号に応答して、制御ユニット３２のプロセッサは、例えば複数の同軸円形光ガイド２２の一部だけを照射するために照明ユニット２４のＲＧＢ ＬＥＤ２８の全てではなく一部だけを活性化させることにより、照明効果リングのサイズをオブジェクトのサイズに自動的に適合させるように構成され得る（典型的には、プロセッサは、検出されたオブジェクトサイズよりも若干大きな直径をもつ円形光ガイド２２を選択する）。
【００４０】
−  照明効果の色をオブジェクトの色に適合させる。１又は複数のカラーセンサ３４は、棚板１２（の中心）に内蔵され、オブジェクト（の底部）の１又はそれ以上の色を測定するために適用され得る。センサ３４の信号に応答して、制御ユニット３２のプロセッサは、照明効果リングの１又は２の適合色に色を自動的に調節するように構成され得る。例えば、プロセッサは、オブジェクトの同一の色をもつか、それを含むか、又は、うまく適合する色を含む照明効果を生成するように照明ユニット２４を制御し得る。
【００４１】
−  照明効果のダイナミクスを人の存在に適合させる。１又はそれ以上の存在センサ３６は、棚板１２に内蔵され、人の存在若しくは人までの距離又は人の動作、例えば、人が棚板１２を含む棚に接近しているかどうか、人が棚板１２を含む棚の前に既に立っているかどうか、又は、人がオブジェクトに向いているかどうかを検出するために適用される。センサ３６の信号に応答して、制御ユニット３２のプロセッサは、照明効果リングのダイナミクスを自動的に調節するように構成され得る。これは、ユーザ動作に応答して、注意を引き付け、照明効果を作り出すのに役立つ。
【００４２】
最新の自動適合機能は、人の注意を引き付けるのに役立ち得る。プロセッサは、以下で詳細に述べられるように、注意を引き付けるために幾つかの異なるプログラムを実行し得る。本プログラムは、ソフトウェアで実行され、制御ユニットのメモリに格納されるが、プロセッサの機能及びハードウェア中のプログラムを実行することも可能である。
【００４３】
１．照明効果の強度の変化
接近：買い物客が棚に接近したときに、照明効果リングの強度が制御ユニット３２により（段階的に）増大され得る。
【００４４】
２．照明効果の色の変化
強度を変える代わりに、又は、それに加えて、制御ユニット３２は、照明ユニット２４のＲＧＢ ＬＥＤ２８をそれぞれ制御することにより色を容易に変えることができる。
【００４５】
３．照明効果の色の移動
図２に示されるように、照明ユニット２４のＰＣＢ上において、円形光ガイド２２の両端にＲＧＢ ＬＥＤ２８が設けられ、従って、円形光ガイド２２は非常に均一に照射することができる。制御ユニット３２が、両端で異なる色が生成されるように同一の円形光ガイド２２の両端のＲＧＢ ＬＥＤ２８を制御する場合には、円形光ガイド２２において色のグラデーションが得られる。制御ユニット３２が２つの色を段階的に変える場合には、人の知覚は、最も支配的に見える色の変化を採取するだろう。この主要な色変化の位置は、色が変化するにつれて段階的に移動するように見える。これまでに行われた体験は、２つの色が正反対の"色相サークル"である場合に、この効果が非常に強い印象を与えることを示す。この驚くべき効果は、棚板１２の表面１４の真下のＲＧＢ ＬＥＤが高解像度であるという印象を与え、その一方で、実際には、この結果は、原理的にはたった２つだけのＲＧＢ ＬＥＤで実現され得る。
【００４６】
４．"拍動"照明効果リング
棚板の表面１４上に複数の同心照明効果リングを生成可能な複数の同心円形光ガイドを伴う一実施形態において、制御ユニット３２は、予め決められたシーケンスで円をオン及びオフに切り替えることができる。これは、拍動又は鼓動の錯覚を与えることができる。これは、人の視覚系が移動に非常に敏感であるので、確実に注意を引き付けるだろう。
【００４７】
５．製品の取り出し
買い物客が棚板１２から製品を取り出すときに、制御ユニット３２は、照明効果リングを段階的に暗くすることができる。製品が再び棚板１２に置かれたときに、制御ユニット３２は、照明効果リングを段階的にオンにするか、又は、脈動照明効果を生成することができる。より装飾的な効果が望まれる場合には、制御ユニット３２は、製品が取り出されたときに、より小さな照明効果リングに連続して切り替え、製品が戻されたときに、照明効果リングを小さいものから大きなものに連続して切り替え得る。
【００４８】
６．選択インタラクションのフィードバック
述べられた反応は、より多くの情報のために、或る範囲の複数の製品の中から特定のアイテムを選び出すという目的をもつインタラクションのためのフィードバックメカニズムに非常に適している。例えば、前記の実施形態２で述べられた例は、例えば幾つかの携帯電話機を含む棚から特定の携帯電話機を選択するのを支援するために容易に用いられる。制御ユニット３２は、棚の特定の携帯電話を指すような買い物客のジェスチャを検出する信号を存在センサ３６から受信し得る。センサ信号に応答して、制御ユニット３２は、例えば、買い物客が指している特定の携帯電話機の下で生成された照明効果の色を変えることができ、選択された携帯電話機に関する信号を例えば外部の情報ディスプレイシステムに出力する。これは、外部のディスプレイシステムのビデオディスプレイ上に選択された携帯電話機の情報を表示することを可能にする。前記選択は、買い物客の指が例えばアイテムの赤色部分に向いているようなアイテムに基づいて、生成された照明効果の色を変えることにより促進され得る。買い物客は、この反応を見て、選択プロセスを理解するだろう。更に、選択が行われて情報が示された後、その情報が属している携帯電話機は非常に明確である。１つだけの携帯電話機が赤色の円に存在する一方で、他のものは、例えば緑色の円により囲まれる。
【００４９】
照明の代わりに、製品を囲む装飾パターン生成するために、電子ディスプレイも棚板１２に内蔵されてもよい。例えば、ＬＣＤ（Liquid Crystal Display）又はＬＥＤディスプレイが内蔵されてもよい。これらの電子ディスプレイは、例えば、棚板１２の底面上の各凹部における半透明プレートの下に設けられ得る。電子ディスプレイの利点は、照明効果だけでなく例えば画像又はテキストも可能である様々な装飾効果を可能とすることである。
【００５０】
ショップにおけるアプリケーションに加えて、本発明は、ミュージアム、家庭、又は、魅力的な手法でオブジェクトを提示する必要がある他の場所に関連してもよい。ショップの環境において、本発明は、指向及び注視により選択された製品に関する買い物客にフィードバックを与えるための魅力的な手法として、インテリジェントショップウインドウに特に適用され得る。
【００５１】
本発明の少なくとも幾つかの機能性は、ハードウェア又はソフトウェアにより実行され得る。ソフトウェアでの実行の場合において、１又は複数の標準のマイクロプロセッサ又はマイクロコントローラが、本発明を実行する１又は複数のアルゴリズムを処理するために用いられ得る。
【００５２】
"有する"という用語は、他の要素又はステップを除外するものではなく、単数表記は、複数を除外するものではないことが留意されるべきである。更に、特許請求の範囲における如何なる参照符号も、本発明の範囲を限定するものとして考慮されるべきではない。
【図１】
2011512220.tif 000003
【図２】
2011512220.tif 000004
【図３】
2011512220.tif 000005
【国際調査報告】
2011512220.tif 000006
2011512220.tif 000007
2011512220.tif 000008